(57)【特許請求の範囲】
【請求項１】
オーディオビデオ信号を記録媒体に記録する装置であって、オーディオ信号を符号化してオーディオ符号化データを出力するオーディオ符号化手段と、ビデオ信号を符号化してビデオ符号化データを出力するビデオ符号化手段と、前記ビデオ符号化データと前記オーディオ符号化データを記録媒体に記録する手段と、オーディオ信号の信号モードの変化点を検出する手段とを具備し、
ビデオ符号化手段は、一つまたは複数のフレーム（以下、またはフィールド）をグループオブピクチャ（ＧＯＰ）とし、前記ＧＯＰのうち少なくとも一つのフレームはフレーム内符号化処理し、残りのフレームはフレーム間符号化処理し、
前記オーディオ信号のモード変化点は前記ＧＯＰの先頭とすることを特徴とする記録装置。
【請求項２】
前記オーディオ信号の信号モードは、モノラルモード、ステレオモード、サラウンドモード、音声多重モードのうち少なくとも２つのモードを含むことを特徴とする請求項１記載の記録装置。
【請求項３】
前記オーディオ符号化データを所定サイズのオーディオパックにパック化する手段と、前記ビデオ符号化データを所定サイズのビデオパックにパック化する手段と、前記オーディオパックと前記ビデオパックとを多重化する手段とを具備し、前記多重化したデータを記録媒体に記録し、前記オーディオパックと前記ビデオパックのいずれか、または両方の先頭と前記オーディオ信号の変化点とが一致するようにパック化することを特徴とする請求項１記載の記録装置。
【請求項４】
前記オーディオ信号の変化点の記録位置に関する情報を記録媒体の所定位置に記録することを特徴とする請求項１記載の記録装置。
【請求項５】
所定期間のビデオ信号とオーディオ信号とをタイトルとして記録し、
前記オーディオ信号のモードが変化すると異なるタイトルとして記録することを特徴とする請求項１記載の記録装置。
【請求項６】
前記オーディオ信号モードに関する情報を記録媒体の所定位置に記録することを特徴とする請求項１記載の記録装置。
【発明の詳細な説明】
【０００１】
【発明の属する技術分野】
本発明は、オーディオビデオ信号を記録媒体に記録する装置に関する。
【０００２】
【従来の技術】
現在、放送されているテレビ信号のオーディオ信号には、モノラルモード、ステレオモード、および２カ国語放送などの音声多重放送がある。例えば、洋画放送などは２カ国語で放送されることが多いが、１番組の放送の中でコマーシャルなどが挿入される場合、２カ国語放送とステレオ放送またはモノラル放送とが混在することがある。
【０００３】
また、オーディオ信号とビデオ信号を符号化処理して記録媒体に記録する場合、それぞれの符号化データをパック化した後、各パックを多重化して記録媒体に記録する。
【０００４】
また、ビデオ信号の圧縮符号化方法の国際標準方式としてＭＰＥＧ２符号化方式がある。これは、フレーム内符号化処理とフレーム間符号化処理を行うもので、複数フレームからなるグループオブピクチャ（ＧＯＰ）を一つの単位として符号化処理するものである。このＧＯＰのうち少なくとも１フレームをフレーム内符号化処理し、残りのフレームをフレーム間符号化処理する。ＭＰＥＧ２符号化方式はこのＧＯＰがアクセス単位となる。
【０００５】
ビデオ信号のシーンチェンジを検出し、シーンチェンジとＧＯＰの先頭とを一致させることにより、シーンチェンジにおいてアクセスすることが可能とする方法も一般的である。
【０００６】
【発明が解決しようとする課題】
しかしながら、オーディオ信号のモードが変化したポイントは、番組の内容の変化点であり、この変化点に対して高速にアクセスするための手段がないという課題を有していた。
【０００７】
また、オーディオ信号およびビデオ信号をパック化して記録する場合、オーディオ信号のモードが変化したポイントとアクセスの単位でもあるパックとは必ずしも一致せず、オーディオ信号のモードが変化したポイントにアクセスことはできないという課題も有していた。
【０００８】
また、ＭＰＥＧ２符号化方式によりビデオ信号を符号化処理する場合は、オーディオ信号のモード変化点とＧＯＰとが必ずしも一致しないため、オーディオの変化点でのアクセスは困難であった。
【０００９】
また、長時間のビデオ信号に対していくつかの区切りをインデックスポイントとして作成する場合、シーンチェンジとＧＯＰとを一致させ、これをインデックスとする方法ではあまりにもシーンチェンジが多く、場面、状況などビデオ内容にあわせた区切りを作成することは困難であった。
【００１０】
これらのことを鑑みて、本発明はテレビ放送のような複数のオーディオ信号モードをもつオーディオビデオ信号を記録する際に、オーディオ信号の変化点に高速にアクセスできる記録装置を提供することを目的とする。
【００１１】
【課題を解決するための手段】
本発明の記録装置は、オーディオビデオ信号を記録媒体に記録する装置であって、オーディオ信号およびビデオ信号を記録媒体に記録する手段と、オーディオ信号の信号モードを検出する手段を具備し、前記オーディオ信号のモードの変化点の記録位置に関する情報を記録媒体の所定位置に記録するように構成したものである。
【００１２】
また、前記オーディオ信号の信号モードは、モノラルモード、ステレオモード、サラウンドモード、音声多重モードのうち少なくとも２つのモードを含むように構成したものである。
【００１３】
また、前記オーディオ信号およびビデオ信号をそれぞれ符号化処理する手段を具備し、オーディオ信号およびビデオ信号の符号化データをそれぞれ所定サイズのパックにパック化して、オーディオ信号のパックとビデオ信号のパックを多重化して記録媒体に記録し、前記オーディオ信号のモードの変化点と前記パックの先頭とが一致するようにパック化するように構成したものである。
【００１４】
また、所定期間のビデオ信号とオーディオ信号とをタイトルとして記録し、前記オーディオ信号のモードが変化すると異なるタイトルとして記録するように構成したものである。
【００１５】
また、前記オーディオ信号モードに関する情報を記録媒体の所定位置に記録するように構成したものである。
【００１６】
また、本発明の記録装置は、オーディオビデオ信号を記録媒体に記録する装置であって、オーディオ信号およびビデオ信号を記録媒体に記録する手段と、オーディオ信号の変化点を検出する手段を具備し、前記変化点の記録位置に関する情報を記録媒体の所定位置に記録するように構成したものである。
【００１７】
また、本発明の記録装置はオーディオビデオ信号を記録媒体に記録する装置であって、オーディオ信号を符号化してオーディオ符号化データを出力するオーディオ符号化手段と、ビデオ信号を符号化してビデオ符号化データを出力するビデオ符号化手段と、前記ビデオ符号化データと前記オーディオ符号化データを記録媒体に記録する手段と、オーディオ信号の信号モードの変化点を検出する手段とを具備し、ビデオ符号化手段は、一つまたは複数のフレーム（以下、またはフィールド）をグループオブピクチャ（ＧＯＰ）とし、前記ＧＯＰのうち少なくとも一つのフレームはフレーム内符号化処理し、残りのフレームはフレーム間符号化処理し、前記オーディオ信号のモード変化点は前記ＧＯＰの先頭とするように構成したものである。
【００１８】
また、本発明の記録装置は、オーディオビデオ信号を記録媒体に記録する装置であって、オーディオ信号を符号化してオーディオ符号化データを出力するオーディオ符号化手段と、ビデオ信号を符号化してビデオ符号化データを出力するビデオ符号化手段と、前記ビデオ符号化データと前記オーディオ符号化データを記録媒体に記録する手段と、オーディオ信号の変化点を検出する手段とを具備し、ビデオ符号化手段は、一つまたは複数のフレーム（以下、またはフィールド）をグループオブピクチャ（ＧＯＰ）とし、前記ＧＯＰのうち少なくとも一つのフレームはフレーム内符号化処理し、残りのフレームはフレーム間符号化処理し、前記オーディオ信号の変化点は前記ＧＯＰの先頭とするように構成したものである。
【００１９】
また、本発明の記録装置は、オーディオビデオ信号を記録媒体に記録する装置であって、オーディオ信号を符号化してオーディオ符号化データを出力するオーディオ符号化手段と、ビデオ信号を符号化してビデオ符号化データを出力するビデオ符号化手段と、前記オーディオ符号化データを所定サイズのオーディオパックにパック化する手段と、前記ビデオ符号化データを所定サイズのビデオパックにパック化する手段と、前記オーディオパックと前記ビデオパックとを多重する手段と、多重化したデータパックを記録媒体に記録する手段と、オーディオ信号の信号モードの変化点を検出する手段とを具備し、前記オーディオパックと前記ビデオパックとのいずれか、または両方の先頭と、前記オーディオ信号の信号モード変化点とを一致させるように構成したものである。
【００２０】
また、本発明の記録装置は、オーディオビデオ信号を記録媒体に記録する装置であって、オーディオ信号を符号化してオーディオ符号化データを出力するオーディオ符号化手段と、ビデオ信号を符号化してビデオ符号化データを出力するビデオ符号化手段と、前記オーディオ符号化データを所定サイズのオーディオパックにパック化する手段と、前記ビデオ符号化データを所定サイズのビデオパックにパック化する手段と、前記オーディオパックと前記ビデオパックとを多重する手段と、多重化したデータパックを記録媒体に記録する手段と、オーディオ信号の変化点を検出する手段とを具備し、前記オーディオパックと前記ビデオパックとのいずれか、または両方の先頭と、前記オーディオ信号の変化点とを一致させるように構成したものである。
【００２１】
【発明の実施の形態】
（実施の形態１）
以下、本発明の記録装置の一実施例について図面を用いながら詳細に説明する。
【００２２】
まず、図１を用いて本発明の記録装置の第一の実施例を説明する。図１は本実施例の記録装置のブロック図である。
【００２３】
図１で示すように本実施例の記録装置は、ビデオ信号符号化器１０１、オーディオ信号符号化器１０２、オーディオモード検出器１０３、記録処理器１０４、記録ヘッド１０５によって構成され、記録媒体１０６に記録する。
【００２４】
入力されたビデオ信号はビデオ信号符号器１０１によって符号化処理されビデオ符号化データが出力される。同様に、オーディオ信号はオーディオ信号符号化器１０２によって符号化処理されオーディオ符号化データが出力される。
【００２５】
オーディオモード検出器１０３は、ステレオモード、モノラルモード、サラウンドモード、２カ国語モードのような音声多重モードという複数のオーディオ信号モードを検出するものである。
【００２６】
記録処理器１０４はビデオ符号化データ、オーディオ符号化データを記録処理し記録ヘッド１０５によって記録媒体１０６に記録する。さらに、記録処理器１０４はビデオおよびオーディオ符号化データにあわせて、オーディオ信号モードの変化点にあたるビデオ符号化データあるいはオーディオ符号化データの記録位置を記録媒体１０６の所定位置に記録されるように処理する。
【００２７】
このように構成することにより、記録媒体を再生する際に、オーディオの信号モードの変化点の記録位置を読み出すことにより、高速にオーディオ信号モードの変化点にアクセスすることが可能となる。
【００２８】
なお、オーディオ信号モードは、モノラルモード、ステレオモード、サラウンドモード、音声多重モードとしたが、これらのうち少なくとも２つを含んでいればよいし、他のモードを含んでいても構わない。
【００２９】
（実施の形態２）
次に、図２を用いて本発明の記録装置の第二の実施例を説明する。図２は本実施例の記録装置のブロック図である。
【００３０】
図２で示すように本実施例の記録装置は、ビデオ信号符号化器２０１、オーディオ信号符号化器２０２、オーディオモード検出器２０３、記録処理器２０４、記録ヘッド２０５、ビデオパック化器２０７、およびオーディオパック化器２０８によって構成され、記録媒体２０６に記録する。
【００３１】
入力されたビデオ信号はビデオ信号符号器２０１によって符号化処理されビデオ符号化データが出力され、ビデオパック化器２０７によって所定サイズのパックにパック化されビデオパックが出力される。同様に、オーディオ信号はオーディオ信号符号化器２０２によって符号化処理されオーディオ符号化データが出力され、オーディオパック化器２０８によって所定サイズのパックにパック化されオーディオパックが出力される。
【００３２】
オーディオモード検出器２０３は、第一の実施例のオーディオモード検出器１０３と同様に、ステレオモード、モノラルモード、サラウンドモード、音声多重モードという複数のオーディオ信号モードを検出するものである。
【００３３】
ビデオパック化器２０７およびオーディオパック化器２０８は、ビデオパックおよびオーディオパックの先頭に所定のパックヘッダを挿入しパック化するが、このパックの先頭と、オーディオモード検出器２０３によって検出されたオーディオモード変化点とが一致するようにそれぞれの符号化データをパック化する。
【００３４】
記録処理器２０４はビデオパック、オーディオパックを多重化して、記録処理し記録ヘッド２０５によって記録媒体２０６に記録する。さらに、記録処理器２０４は、オーディオ信号モードの変化点にあたるビデオパックあるいはオーディオパックの記録位置を特定する情報を記録媒体１０６の所定位置に記録するように処理する。
【００３５】
このように構成することにより、記録媒体からオーディオの信号モードの変化点の記録位置を読み出すことにより、高速にオーディオ信号モードの変化点にアクセスすることが可能となる。また、パック化して記録する本実施例ではパックがアクセス単位となるが、パックの先頭とオーディオ信号モードの変化点とが一致させることにより、オーディオ信号モードの変化点でアクセスが容易にすることができる。
【００３６】
なお、任意の符号化データの位置とパックの先頭位置をあわせる方法は、所定のスタッフィングデータを挿入してもよいし、そのパックヘッダ等に記載されるサイズ情報を変更するなどすればよい。
【００３７】
なお、第一および第二の実施例において、オーディオ信号モードの変化点の記録位置に関する情報は、記録媒体上のアドレス情報とすればよい。
【００３８】
また、所定のメモリを具備し、オーディオビデオ信号の記録中はオーディオ信号モードが変化するたびにその変化点の記録位置情報を所定メモリに格納しておき、オーディオビデオ信号の記録が終了した後、その所定メモリから読み出して記録媒体の所定位置に記録してもよい。
【００３９】
また、変化点の記録位置情報として、変化点のアドレス情報と、そのオーディオ信号モードが変化する直前のアドレス、またはオーディオビデオ信号の記録終了アドレスとを記録してもよい。
【００４０】
また、変化点の記録位置情報として、変化点のアドレス情報と、そのオーディオ信号モードが変化するまで、またはオーディオビデオ信号の記録終了するまでの記録データ量とを記録してもよい。
【００４１】
また、変化点の記録位置情報は、オーディオビデオ信号のデータ記録管理情報として所定の領域に記録してもよい。
【００４２】
また、変化点の記録位置情報と、そのオーディオ信号モードをあらわす情報をデータ記録管理情報として記録してもよい。
【００４３】
また、変化点の記録位置情報は、オーディオビデオ符号化データのヘッダ情報の一つとして記録してもよい。
【００４４】
また、ビデオ信号とオーディオ信号をタイトルという単位で記録する場合、オーディオ信号モードが変化すると、異なるタイトルとして記録処理を続けてもよい。こうすることで、各タイトル内のオーディオ信号モードは同一とすることができ、記録再生管理が容易になる。
【００４５】
また、各タイトルのビデオ信号およびオーディオ信号の属性をあらわす情報をタイトル管理情報としてタイトル毎に記録媒体の所定位置に記録し、オーディオ信号モードの変化点の記録位置情報をタイトル管理情報の一つとして記録すればよい。
【００４６】
また、所定のメモリを具備し、オーディオビデオ信号の記録中は、オーディオ信号モードが変化するたびにその変化点の記録位置情報を所定メモリに格納しておき、オーディオビデオ信号の記録が終了した後、その所定メモリから読み出して各タイトル管理情報の一つとして所定位置に記録してもよい。
【００４７】
また、変化点の記録位置情報として、変化点のアドレス情報と、そのオーディオ信号モードが変化する直前のアドレス、またはオーディオビデオ信号の記録終了アドレスとをタイトル管理情報の一つとして記録してもよい。
【００４８】
また、変化点の記録位置情報として、変化点のアドレス情報と、そのオーディオ信号モードが変化するまで、またはオーディオビデオ信号の記録終了するまでの記録データ量とをタイトル管理情報の一つとして記録してもよい。
【００４９】
また、変化点の記録位置情報と、そのオーディオ信号モードをあらわす情報をタイトル管理情報の一つとして記録してもよい。
【００５０】
（実施の形態３）
次に、図３を用いて本発明の記録装置の第三の実施例を説明する。図３は本実施例の記録装置のブロック図である。
【００５１】
図３で示すように本実施例の記録装置は、ビデオ信号符号化器３０１、オーディオ信号符号化器３０２、信号変化検出器３０３、記録処理器３０４、記録ヘッド３０５によって構成され、記録媒体３０６に記録する。
【００５２】
入力されたビデオ信号はビデオ信号符号器３０１によって符号化処理されビデオ符号化データが出力される。同様に、オーディオ信号はオーディオ信号符号化器３０２によって符号化処理されオーディオ符号化データが出力される。
【００５３】
信号変化検出器３０３は、オーディオ信号の変化点を検出する。
記録処理器１０４はビデオ符号化データ、オーディオ符号化データを記録処理し記録ヘッド１０５によって記録媒体１０６に記録する。さらに、記録処理器１０４はビデオおよびオーディオ符号化データにあわせて、オーディオ信号の変化点にあたるビデオ符号化データあるいはオーディオ符号化データの記録位置を記録媒体１０６の所定位置に記録されるように処理する。
【００５４】
例えば場面、状況が変化するとＢＧＭが変化するなど、オーディオ信号はビデオ信号の内容に関連してつけられており、オーディオ信号の変化はビデオの内容の変化とほぼ一致する。
【００５５】
このように構成することにより、記録媒体を再生する際に、オーディオの信号の変化点の記録位置を読み出すことにより、高速にオーディオ信号の変化点にアクセスすることが可能となる。
【００５６】
なお、オーディオ信号の変化点の検出方法はレベル変化を検出してもよいし、無音状態を検出することによりオーディオ信号の変化を検出してもよいし、スペクトラム分布を検出してもよいし、オーディオ信号の変化を検出するものであれば何でもかまわない。
【００５７】
また、オーディオ信号の変化点の検出方法は、オーディオ信号の無音状態が所定期間続いた場合、その無音状態の期間のうちのポイントをオーディオ信号の変化点として検出してもよい。
【００５８】
また、オーディオ信号の変化点の検出方法は、オーディオ信号の無音状態が所定期間続いた後の有音状態となったポイントをオーディオ信号の変化点として検出してもよい。
【００５９】
（実施の形態４）
次に、図４を用いて本発明の記録装置の第四の実施例を説明する。図４は本実施例の記録装置のブロック図である。
【００６０】
図４で示すように本実施例の記録装置は、ビデオ信号符号化器４０１、オーディオ信号符号化器４０２、信号変化検出器２０３、記録処理器４０４、記録ヘッド４０５、ビデオパック化器４０７、およびオーディオパック化器４０８によって構成され、入力されたオーディオビデオ信号を記録媒体４０６に記録する。
【００６１】
入力されたビデオ信号はビデオ信号符号器４０１によって符号化処理されビデオ符号化データが出力され、ビデオパック化器４０７によって所定サイズのパックにパック化されビデオパックが出力される。同様に、オーディオ信号はオーディオ信号符号化器４０２によって符号化処理されオーディオ符号化データが出力され、オーディオパック化器４０８によって所定サイズのパックにパック化されオーディオパックが出力される。
【００６２】
信号変化検出器４０３は、第三の実施例の信号変化検出器３０３と同様に、オーディオ信号の変化点を検出する。
【００６３】
ビデオパック化器４０７およびオーディオパック化器４０８は、ビデオパックおよびオーディオパックの先頭に所定のパックヘッダを挿入しパック化するが、このパックの先頭と、信号変化検出器４０３によって検出されたオーディオ信号変化点とが一致するようにそれぞれの符号化データをパック化する。
【００６４】
記録処理器４０４はビデオパック、オーディオパックを多重化して、記録処理し記録ヘッド４０５によって記録媒体４０６に記録する。さらに、記録処理器４０４は、オーディオ信号の変化点にあたるビデオパックあるいはオーディオパックの記録位置を特定できる情報を記録媒体４０６の所定位置に記録するように処理する。
【００６５】
このように構成することにより、記録媒体を再生する際に、オーディオ信号の変化点の記録位置を読み出すことにより、高速にオーディオ信号の変化点にアクセスすることが可能となる。また、パック化して記録する本実施例ではパックがアクセス単位となるが、パックの先頭とオーディオ信号の変化点とが一致させることにより、オーディオ信号の変化点でアクセスが可能となる。
【００６６】
なお、任意の符号化データの位置とパックの先頭位置をあわせる方法は、所定のスタッフィングデータを挿入してもよいし、そのパックのサイズ情報を変更するなどすればよい。
【００６７】
なお、第三および第四の実施例において、オーディオ信号の変化点の記録位置に関する情報は、記録媒体上のアドレス情報とすればよい。
【００６８】
また、所定のメモリを具備し、オーディオビデオ信号の記録中はオーディオ信号の変化点の記録位置情報を所定メモリに格納しておき、オーディオビデオ信号の記録が完了した後、その所定メモリから読み出して記録媒体の所定位置に記録してもよい。
【００６９】
また、変化点の記録位置情報として、変化点のアドレス情報と、そのオーディオ信号が変化する直前のアドレス、またはオーディオビデオ信号の記録終了アドレスとを記録してもよい。
【００７０】
また、変化点の記録位置情報として、変化点のアドレス情報と、そのオーディオ信号が変化するまで、またはオーディオビデオ信号の記録終了するまでの記録データ量とを記録してもよい。
【００７１】
また、変化点の記録位置情報は、オーディオビデオ信号のデータ記録管理情報として所定の領域に記録してもよい。
【００７２】
また、変化点の記録位置情報は、オーディオビデオ符号化データのヘッダ情報の一つとして記録してもよい。
【００７３】
また、ビデオ信号とオーディオ信号をタイトルという単位で記録する場合、オーディオ信号の変化にあわせて、異なるタイトルとして記録処理を続けてもよい。
【００７４】
また、各タイトルのビデオ信号およびオーディオ信号の属性をあらわす情報をタイトル管理情報としてタイトル毎に記録媒体の所定位置に記録し、オーディオ信号の変化点の記録位置情報をタイトル管理情報の一つとして記録すればよい。
【００７５】
また、所定のメモリを具備し、オーディオビデオ信号の記録中は、オーディオ信号が変化するたびにその変化点の記録位置情報を所定メモリに格納しておき、オーディオビデオ信号の記録が完了した後、その所定メモリから読み出して各タイトル管理情報の一つとして所定位置に記録してもよい。
【００７６】
また、変化点の記録位置情報として、変化点のアドレス情報と、そのオーディオ信号が変化する直前のアドレス、またはオーディオビデオ信号の記録終了アドレスとをタイトル管理情報の一つとして記録してもよい。
【００７７】
また、変化点の記録位置情報として、変化点のアドレス情報と、そのオーディオ信号が変化するまで、またはオーディオビデオ信号の記録終了するまでの記録データ量とをタイトル管理情報の一つとして記録してもよい。
【００７８】
（実施の形態５）
次に、図５を用いて本発明の記録装置の第五の実施例を説明する。図５は本実施例の記録装置のブロック図である。
【００７９】
図５で示すように本実施例の記録装置は、ビデオ信号符号化器５０１、オーディオ信号符号化器５０２、オーディオモード検出器５０３、記録処理器５０４、記録ヘッド５０５によって構成され、記録媒体５０６に記録する。
【００８０】
また、ビデオ信号符号化器５０１は、第一の選択器５０７、第二の選択器５１０、フレーム内符号化器５０８、フレーム間符号化器５０９とから構成される。
【００８１】
入力されたビデオ信号はビデオ信号符号器５０１によって符号化処理されビデオ符号化データが出力される。同様に、オーディオ信号はオーディオ信号符号化器５０２によって符号化処理されオーディオ符号化データが出力される。
【００８２】
オーディオモード検出器５０３は、第一の実施例のオーディオモード検出器１０３と同様に、ステレオモード、モノラルモード、サラウンドモード、音声多重モードという複数のオーディオ信号モードを検出するものである。
【００８３】
記録処理器５０４はビデオ符号化データ、オーディオ符号化データを記録処理し記録ヘッド５０５によって記録媒体５０６に記録する。
【００８４】
入力されたビデオ信号は、第一の選択器５０７によって、フレーム内符号化器５０８とフレーム間符号化器５０９に選択的に入力され、第二の選択器５１０はフレーム内符号化器５０８の出力とフレーム間符号化器５０９の出力とを選択して出力する。フレーム内符号化器５０８は入力されたビデオ信号をフレーム内符号化処理し、フレーム間符号化器５０９はビデオ信号をフレーム間符号化処理する。複数フレーム間隔でフレーム内符号化処理が行い、この周期をもとにグループオブピクチャ（ＧＯＰ）を構成して符号化処理が行われる。通常は、所定の周期でＧＯＰを構成して符号化処理が行われるように選択器５０７、および選択器５１０は動作する。ただし、オーディオモード検出器５０３によってオーディオ信号モードの変化が検出されると、この変化点とＧＯＰの先頭とが一致するようにＧＯＰが構成されるように制御する。
【００８５】
このように周期的にフレーム内符号化処理を行う場合は、ＧＯＰがアクセス単位となるが、上記のように構成することにより、記録媒体を再生する際にオーディオの信号モードの変化点で容易にアクセスすることが可能となる。
【００８６】
（実施の形態６）
次に、図６を用いて本発明の記録装置の第六の実施例を説明する。図６は本実施例の記録装置のブロック図である。
【００８７】
図６で示すように本実施例の記録装置は、ビデオ信号符号化器６０１、オーディオ信号符号化器６０２、オーディオモード検出器６０３、記録処理器６０４、記録ヘッド６０５、ビデオパック化器６０７、およびオーディオパック化器６０８によって構成され、記録媒体６０６に記録する。
【００８８】
また、ビデオ信号符号化器６０１は、第五の実施例と同様に第一の選択器６０９、第二の選択器６１２、フレーム内符号化器６１０、フレーム間符号化器６１１とから構成される。
【００８９】
入力されたビデオ信号はビデオ信号符号器６０１によって符号化処理されビデオ符号化データが出力され、ビデオパック化器６０７によって所定サイズのパックにパック化されビデオパックが出力される。同様に、オーディオ信号はオーディオ信号符号化器６０２によって符号化処理されオーディオ符号化データが出力され、オーディオパック化器６０８によって所定サイズのパックにパック化されオーディオパックが出力される。
【００９０】
オーディオモード検出器６０３は、第一の実施例のオーディオモード検出器１０３と同様に、ステレオモード、モノラルモード、サラウンドモード、音声多重モードといった複数のオーディオ信号モードを検出するものである。
【００９１】
ビデオパック化器６０７およびオーディオパック化器６０８は、ビデオパックおよびオーディオパックの先頭に所定のパックヘッダを挿入しパック化するが、このパックの先頭と、オーディオモード検出器６０３によって検出されたオーディオモード変化点とが一致するようにそれぞれの符号化データをパック化する。
【００９２】
記録処理器６０４はビデオパック、オーディオパックを多重化して、記録処理し記録ヘッド６０５によって記録媒体６０６に記録する。
【００９３】
なお、ビデオ信号符号化器６０１の動作は、第五の実施例と同様で、ＧＯＰを構成してフレーム内符号化処理とフレーム間符号化処理とを行い、オーディオ信号のモード変化点においてＧＯＰの先頭となるように制御する。
【００９４】
本実施例では、ＧＯＰの先頭であり、かつパックの先頭であるポイントがアクセス可能なポイントなるが、本実施例のように構成することにより、ＧＯＰの先頭とパックの先頭とオーディオ信号モードの変化点とが一致し、オーディオ信号モードの変化点でのアクセスが可能となる。
【００９５】
なお、任意の符号化データの位置とパックの先頭位置をあわせる方法は、所定のスタッフィングデータを挿入してもよいし、そのパックヘッダ等に記載されるサイズ情報を変更するなどすればよい。
【００９６】
なお、第五の実施例および第六の実施例において、オーディオ信号モードに関する情報を記録媒体の所定の位置に記録してもよい。
【００９７】
また、ビデオ信号とオーディオ信号をタイトルという単位で記録する場合、オーディオ信号モードが変化すると、異なるタイトルとして記録処理を続けてもよい。こうすることで、各タイトル内のオーディオ信号モードは同一とすることができ、記録再生管理が容易になる。
【００９８】
また、ビデオ信号およびオーディオ信号の属性をあらわすタイトル管理情報を各タイトル毎に記録媒体の所定位置に記録し、そのオーディオ信号モードをあらわす情報をタイトル管理情報の一つとして記録してもよい。
【００９９】
また、所定のメモリを具備し、オーディオ信号モードが変化するたびに、そのオーディオ信号モードを所定メモリに記憶しておき、オーディオビデオ信号の記録が完了した後、その所定メモリに記憶された各タイトルのオーディオ信号モードをタイトル管理情報の一つとして記録してもよい。
【０１００】
（実施の形態７）
次に、図７を用いて本発明の記録装置の第七の実施例を説明する。図７は本実施例の記録装置のブロック図である。
【０１０１】
図７で示すように本実施例の記録装置は、ビデオ信号符号化器７０１、オーディオ信号符号化器７０２、オーディオモード検出器７０３、記録処理器７０４、記録ヘッド７０５、ビデオパック化器７０７、およびオーディオパック化器７０８によって構成され、記録媒体７０６に記録する。
【０１０２】
また、ビデオ信号符号化器７０１は、第五の実施例と同様に第一の選択器７０９、第二の選択器７１２、フレーム内符号化器７１０、フレーム間符号化器７１１とから構成される。
【０１０３】
本実施例は第六の実施例とほぼ同様であり、ビデオ信号の符号化処理におけるＧＯＰの先頭と、ビデオパックおよびオーディオパックの先頭と、オーディオ信号のモード変化点とを一致させるように記録媒体７０６に記録するが、これに合わせてオーディオ信号のモード変化点となるビデオパックおよびオーディオパックの記録位置を特定する情報を記録媒体に記録する点が異なる。
【０１０４】
このように構成することにより、オーディオ信号モードの変化点でアクセスが可能となり、かつ、モード変化点を特定する情報を読み出すことによりモード変化点へのアクセスを高速に処理することが可能となる。
【０１０５】
なお、オーディオ信号モードの変化点の記録位置情報を記録媒体上のアドレス情報とすればよい。
【０１０６】
また、所定のメモリを具備し、オーディオビデオ信号の記録中はオーディオ信号モードが変化するたびにその変化点の記録位置情報を所定メモリに格納しておき、オーディオビデオ信号の記録が完了した後、その所定メモリから読み出して記録媒体の所定位置に記録してもよい。
【０１０７】
また、変化点の記録位置情報として、変化点のアドレス情報と、そのオーディオ信号モードが変化する直前のアドレス、またはオーディオビデオ信号の記録終了アドレスとを記録してもよい。
【０１０８】
また、変化点の記録位置情報として、変化点のアドレス情報と、そのオーディオ信号モードが変化するまで、またはオーディオビデオ信号の記録終了するまでの記録データ量とを記録してもよい。
【０１０９】
また、変化点の記録位置情報は、オーディオビデオ信号のデータ記録管理情報として所定の領域に記録してもよい。
【０１１０】
また、変化点の記録位置情報と、そのオーディオ信号モードをあらわす情報をデータ記録管理情報として記録してもよい。
【０１１１】
また、変化点の記録位置情報は、オーディオビデオ符号化データのヘッダ情報の一つとして記録してもよい。
【０１１２】
また、ビデオ信号とオーディオ信号をタイトルという単位で記録する場合、オーディオ信号モードが変化すると、異なるタイトルとして記録処理を続けてもよい。こうすることで、各タイトル内のオーディオ信号モードは同一とすることができ、記録再生管理が容易になる。
【０１１３】
また、各タイトルのビデオ信号およびオーディオ信号の属性をあらわす情報をタイトル管理情報としてタイトル毎に記録媒体の所定位置に記録し、オーディオ信号モードの変化点の記録位置情報をタイトル管理情報の一つとして記録すればよい。
【０１１４】
また、所定のメモリを具備し、オーディオビデオ信号の記録中は、オーディオ信号モードが変化するたびにその変化点の記録位置情報を所定メモリに格納しておき、オーディオビデオ信号の記録が完了した後、その所定メモリから読み出して各タイトル管理情報の一つとして所定位置に記録してもよい。
【０１１５】
また、変化点の記録位置情報として、変化点のアドレス情報と、そのオーディオ信号モードが変化する直前のアドレス、またはオーディオビデオ信号の記録終了アドレスとをタイトル管理情報の一つとして記録してもよい。
【０１１６】
また、変化点の記録位置情報として、変化点のアドレス情報と、そのオーディオ信号モードが変化するまで、またはオーディオビデオ信号の記録終了するまでの記録データ量とをタイトル管理情報の一つとして記録してもよい。
【０１１７】
また、変化点の記録位置情報と、そのオーディオ信号モードをあらわす情報をタイトル管理情報の一つとして記録してもよい。
【０１１８】
（実施の形態８）
次に、図８を用いて本発明の記録装置の第八の実施例を説明する。図８は本実施例の記録装置のブロック図である。
【０１１９】
図８で示すように本実施例の記録装置は、ビデオ信号符号化器８０１、オーディオ信号符号化器８０２、信号変化検出器８０３、記録処理器８０４、記録ヘッド８０５によって構成され、記録媒体８０６に記録する。
【０１２０】
また、ビデオ信号符号化器８０１は、第五の実施例と同様に、第一の選択器８０７、第二の選択器８１０、フレーム内符号化器８０８、フレーム間符号化器８０９とから構成される。
【０１２１】
入力されたビデオ信号はビデオ信号符号器８０１によって符号化処理されビデオ符号化データが出力される。同様に、オーディオ信号はオーディオ信号符号化器８０２によって符号化処理されオーディオ符号化データが出力される。
【０１２２】
記録処理器８０４はビデオ符号化データ、オーディオ符号化データを記録処理し記録ヘッド８０５によって記録媒体５０６に記録する。
【０１２３】
信号変化検出器８０３は、第三の実施例の信号変化検出器３０３と同様にオーディオ信号の変化点を検出する。
【０１２４】
入力されたビデオ信号は、第五の実施例と同様にＧＯＰごとにフレーム内符号化処理、およびフレーム間符号化処理が行われる。ただし、信号変化検出器８０３によってオーディオ信号の変化が検出されると、この変化点とＧＯＰの先頭とが一致するようにＧＯＰが構成されるように制御する。
【０１２５】
ＧＯＰを構成して周期的にフレーム内符号化処理を行う場合は、ＧＯＰがアクセス単位となるが、上記のように構成することにより、記録媒体を再生する際にオーディオの信号変化点で容易にアクセスすることが可能となる。
【０１２６】
（実施の形態９）
次に、図９を用いて本発明の記録装置の第九の実施例を説明する。図９は本実施例の記録装置のブロック図である。
【０１２７】
図９で示すように本実施例の記録装置は、ビデオ信号符号化器９０１、オーディオ信号符号化器９０２、信号変化検出器９０３、記録処理器９０４、記録ヘッド９０５、ビデオパック化器９０７、およびオーディオパック化器９０８によって構成され、記録媒体９０６に記録する。
【０１２８】
また、ビデオ信号符号化器９０１は、第五の実施例と同様に第一の選択器９０９、第二の選択器９１２、フレーム内符号化器９１０、フレーム間符号化器９１１とから構成される。
【０１２９】
入力されたビデオ信号はビデオ信号符号器９０１によって符号化処理されビデオ符号化データが出力され、ビデオパック化器９０７によって所定サイズのパックにパック化されビデオパックが出力される。同様に、オーディオ信号はオーディオ信号符号化器９０２によって符号化処理されオーディオ符号化データが出力され、オーディオパック化器９０８によって所定サイズのパックにパック化されオーディオパックが出力される。
【０１３０】
信号変化検出器９０３は、第三の実施例の信号変化検出器３０３と同様にオーディオ信号の変化点を検出する。
【０１３１】
ビデオパック化器９０７およびオーディオパック化器９０８は、ビデオパックおよびオーディオパックの先頭に所定のパックヘッダを挿入しパック化するが、このパックの先頭と、信号変化検出器９０３によって検出されたオーディオ信号の変化点とが一致するようにそれぞれの符号化データをパック化する。
【０１３２】
記録処理器９０４はビデオパック、オーディオパックを多重化して、記録処理し記録ヘッド９０５によって記録媒体９０６に記録する。
【０１３３】
なお、ビデオ信号符号化器９０１の動作は、第八の実施例と同様で、ＧＯＰを構成してフレーム内符号化処理とフレーム間符号化処理とを行うが、オーディオ信号の変化点においてＧＯＰの先頭となるように制御する。
【０１３４】
本実施例では、ＧＯＰの先頭であり、かつパックの先頭でるポイントがアクセス可能なポイントなるが、本実施例のように構成することにより、ＧＯＰの先頭とパックの先頭とオーディオ信号の変化点とが一致し、オーディオ信号の変化点でのアクセスが可能となる。
【０１３５】
なお、任意の符号化データの位置とパックの先頭位置をあわせる方法は、所定のスタッフィングデータを挿入してもよいし、そのパックヘッダ等に記載されるサイズ情報を変更するなどすればよい。
【０１３６】
なお、第八の実施例および第九の実施例において、ビデオ信号とオーディオ信号をタイトルという単位で記録する場合、オーディオ信号が変化すると、異なるタイトルとして記録処理を続けてもよい。
【０１３７】
（実施の形態１０）
次に、図１０を用いて本発明の記録装置の第十の実施例を説明する。図１０は本実施例の記録装置のブロック図である。
【０１３８】
図１０で示すように本実施例の記録装置は、ビデオ信号符号化器１００１、オーディオ信号符号化器１００２、オーディオモード検出器１００３、記録処理器１００４、記録ヘッド１００５、ビデオパック化器１００７、およびオーディオパック化器１００８によって構成され、記録媒体７０６に記録する。
【０１３９】
また、ビデオ信号符号化器１００１は、第五の実施例と同様に第一の選択器１００９、第二の選択器１０１２、フレーム内符号化器１０１０、フレーム間符号化器１０１１とから構成される。
【０１４０】
本実施例は第九の実施例とほぼ同様であり、ビデオ信号の符号化処理におけるＧＯＰの先頭と、ビデオパックおよびオーディオパックの先頭と、オーディオ信号の変化点とを一致させるように記録媒体１００６に記録するが、これに合わせてオーディオ信号の変化点となるビデオパックおよびオーディオパックの記録位置を特定する情報を記録媒体１００６に記録する点が異なる。
【０１４１】
このように構成することにより、オーディオ信号の変化点でアクセスが可能となり、かつ、オーディオ信号の変化点を特定する情報を読み出すことにより変化点へのアクセスを高速に処理することが可能となる。
【０１４２】
（実施の形態１１）
次に、図１１を用いて本発明の記録装置の第十一の実施例を説明する。図１１は本実施例の記録装置のブロック図である。
【０１４３】
図１１で示すように本実施例の記録装置は、ビデオ信号符号化器１１０１、オーディオ信号符号化器１１０２、オーディオモード検出器１１０３、記録処理器１１０４、記録ヘッド１１０５、ビデオパック化器１１０７、およびオーディオパック化器１１０８によって構成され、記録媒体１１０６に記録する。
【０１４４】
入力されたビデオ信号はビデオ信号符号器１１０１によって符号化処理されビデオ符号化データが出力され、ビデオパック化器１１０７によって所定サイズのパックにパック化されビデオパックが出力される。同様に、オーディオ信号はオーディオ信号符号化器１１０２によって符号化処理されオーディオ符号化データが出力され、オーディオパック化器１１０８によって所定サイズのパックにパック化されオーディオパックが出力される。
【０１４５】
オーディオモード検出器１１０３は、第二の実施例と同様に、ステレオモード、モノラルモード、サラウンドモード、音声多重モードという複数のオーディオ信号モードを検出する。
【０１４６】
ビデオパック化器１１０７およびオーディオパック化器１１０８は、ビデオパックおよびオーディオパックの先頭に所定のパックヘッダを挿入しパック化するが、このパックの先頭と、オーディオモード検出器１１０３によって検出されたオーディオモード変化点とが一致するようにそれぞれの符号化データをパック化する。
【０１４７】
パック化して記録する本実施例ではパックがアクセス単位となるが、パックの先頭とオーディオ信号モードの変化点とを一致させることにより、オーディオ信号モードの変化点でアクセスが可能となる。
【０１４８】
なお、任意の符号化データの位置とパックの先頭位置をあわせる方法は、所定のスタッフィングデータを挿入してもよいし、そのパックヘッダ等に記載されるサイズ情報を変更するなどすればよい。
【０１４９】
なお、オーディオ信号モードに関する情報を記録媒体の所定の位置に記録してもよい。
【０１５０】
また、ビデオ信号とオーディオ信号をタイトルという単位で記録する場合、オーディオ信号モードが変化すると、異なるタイトルとして記録処理を続けてもよい。こうすることで、各タイトル内のオーディオ信号モードは同一とすることができ、記録再生管理が容易になる。
【０１５１】
また、ビデオ信号およびオーディオ信号の属性をあらわすタイトル管理情報を各タイトル毎に記録媒体の所定位置に記録し、そのオーディオ信号モードをあらわす情報をタイトル管理情報の一つとして記録してもよい。
【０１５２】
また、所定のメモリを具備し、オーディオ信号モードが変化するたびに、そのオーディオ信号モードを所定メモリに記憶しておき、オーディオビデオ信号の記録が完了した後に、その所定メモリに記憶された各タイトルのオーディオモード信号をタイトル管理情報の一つとして記録してもよい。
【０１５３】
なお、オーディオ信号モードは、モノラルモード、ステレオモード、音声多重モードとしたが、これらのうち少なくとも２つを含んでいればよいし、サラウンドモードなど他のモードを含んでいても構わない。
【０１５４】
（実施の形態１２）
次に、図１２を用いて本発明の記録装置の第十二の実施例を説明する。図１２は本実施例の記録装置のブロック図である。
【０１５５】
図１２で示すように本実施例の記録装置は、ビデオ信号符号化器１２０１、オーディオ信号符号化器１２０２、信号変化検出器１２０３、記録処理器１２０４、記録ヘッド１２０５、ビデオパック化器１２０７、およびオーディオパック化器１２０８によって構成され、記録媒体１２０６に記録する。
【０１５６】
入力されたビデオ信号はビデオ信号符号器１２０１によって符号化処理されビデオ符号化データが出力され、ビデオパック化器１２０７によって所定サイズのパックにパック化されビデオパックが出力される。同様に、オーディオ信号はオーディオ信号符号化器１２０２によって符号化処理されオーディオ符号化データが出力され、オーディオパック化器１２０８によって所定サイズのパックにパック化されオーディオパックが出力される。
【０１５７】
信号変化検出器１２０３は、第三の実施例と同様に、オーディオ信号の変化点を検出する。
【０１５８】
ビデオパック化器１２０７およびオーディオパック化器１２０８は、ビデオパックおよびオーディオパックの先頭に所定のパックヘッダを挿入しパック化するが、このパックの先頭と、信号変化検出器１２０３によって検出されたオーディオ信号の変化点とが一致するようにそれぞれの符号化データをパック化する。
【０１５９】
パック化して記録する本実施例ではパックがアクセス単位となるが、パックの先頭とオーディオ信号の変化点とを一致させることにより、オーディオ信号の変化点でアクセスが可能となる。
【０１６０】
なお、任意の符号化データの位置とパックの先頭位置をあわせる方法は、所定のスタッフィングデータを挿入してもよいし、そのパックヘッダ等に記載されるサイズ情報を変更するなどすればよい。
【０１６１】
また、ビデオ信号とオーディオ信号をタイトルという単位で記録する場合、オーディオ信号の変化点において、異なるタイトルとして記録処理を続けてもよい。
【０１６２】
なお、ビデオ信号に符号化処理において、フレーム内符号化処理とフレーム間符号化処理を行う単位としてＧＯＰを構成し符号化処理する方法について述べたが、これに限らず、複数のフレーム（またはフィールド）を単位として符号化処理する場合においても、この複数フレームをＧＯＰとして考えると同様である。
【０１６３】
また、ビデオ信号符号化処理においてフレームを単位としているが、フィールドを単位としても構わないし、複数のフィールド、もしくは複数のフレームを単位として符号化処理しても同様である。
【０１６４】
【発明の効果】
オーディオ信号のモードが変化したポイントを記録媒体に記録することにより、オーディオ信号のモード変化点に対して、高速にアクセスすることが可能となる。
【０１６５】
また、オーディオおよびビデオの符号化データをパック化して記録する場合においてオーディオ信号のモード変化点とパックの先頭とをあわせることにより、モード変化点に対してアクセスすることが可能となり、オーディオ信号のモード変化点を記録媒体に記録することで、モード変化点に対して高速にアクセスすることが可能となる。
【０１６６】
また、オーディオ信号の信号レベル、スペクトル分布、無音状態等を検出することにより、オーディオ信号の変化点を記録媒体に記録することにより、オーディオ信号の変化点に対して、高速にアクセスすることが可能となる。また、オーディオ信号の変化点をインデックスポイントとすることで、ビデオ信号の内容に則したインデックスポイントを指定することができる。
【０１６７】
また、オーディオおよびビデオの符号化データをパック化して記録する場合、オーディオ信号の変化点とパックの先頭とをあわせることにより、オーディオ信号の変化点に対してアクセスすることが可能となり、オーディオ信号の変化点を記録媒体に記録することで、オーディオ信号の変化点に対して高速にアクセスすることが可能となる。
【０１６８】
また、ビデオ信号の符号化においてＧＯＰを単位としてフレーム内符号化、フレーム間符号化処理を行う場合、オーディオ信号のモード変化点とＧＯＰとの先頭を一致させることで、オーディオ信号のモード変化点でアクセスすることが可能となる。
【０１６９】
また、ビデオ信号の符号化においてＧＯＰを単位としてフレーム内符号化、フレーム間符号化処理を行い、オーディオおよびビデオの符号化データをパック化して記録する場合、ＧＯＰの先頭とパックの先頭とオーディオ信号のモード変化点とを一致させることにより、オーディオ信号のモード変化点に対してアクセスすることが可能となる。
【０１７０】
また、ビデオ信号の符号化においてＧＯＰを単位としてフレーム内符号化、フレーム間符号化処理を行い、オーディオおよびビデオの符号化データをパック化して記録する場合、ＧＯＰの先頭とパックの先頭とオーディオ信号のモード変化点とを一致させ、モード変化点であるパック記録位置を記録媒体に記録することにより、オーディオ信号のモード変化点に対して高速にアクセスすることが可能となる。
【０１７１】
また、ビデオ信号の符号化においてＧＯＰを単位としてフレーム内符号化、フレーム間符号化処理を行う場合、オーディオ信号の変化点とＧＯＰとの先頭を一致させることで、オーディオ信号の変化点でアクセスすることが可能となる。
【０１７２】
また、ビデオ信号の符号化においてＧＯＰを単位としてフレーム内符号化、フレーム間符号化処理を行い、オーディオおよびビデオの符号化データをパック化して記録する場合、ＧＯＰの先頭とパックの先頭とオーディオ信号の変化点とを一致させることにより、オーディオ信号の変化点に対してアクセスすることが可能となる。
【０１７３】
また、ビデオ信号の符号化においてＧＯＰを単位としてフレーム内符号化、フレーム間符号化処理を行い、オーディオおよびビデオの符号化データをパック化して記録する場合、ＧＯＰの先頭とパックの先頭とオーディオ信号の変化点とを一致させ、この変化点であるパック記録位置を記録媒体に記録することにより、オーディオ信号の変化点に対して高速にアクセスすることが可能となる。
【０１７４】
また、オーディオおよびビデオの符号化データをパック化して記録する場合、パックの先頭とオーディオ信号のモード変化点とを一致させることにより、オーディオ信号のモード変化点に対してアクセスすることが可能となる。
【０１７５】
また、オーディオおよびビデオの符号化データをパック化して記録する場合、パックの先頭とオーディオ信号の変化点とを一致させることにより、オーディオ信号の変化点に対してアクセスすることが可能となる。
【０１７６】
また、ビデオ信号とオーディオ信号をタイトルという単位で記録する場合、オーディオ信号モードが変化すると、異なるタイトルとして記録処理を続けることにより、各タイトル内のオーディオ信号モードは同一とすることができ、記録再生管理が容易になる。
【図面の簡単な説明】
【図１】本発明の記録装置の第一の実施形態を示したブロック図
【図２】本発明の記録装置の第二の実施形態を示したブロック図
【図３】本発明の記録装置の第三の実施形態を示したブロック図
【図４】本発明の記録装置の第四の実施形態を示したブロック図
【図５】本発明の記録装置の第五の実施形態を示したブロック図
【図６】本発明の記録装置の第六の実施形態を示したブロック図
【図７】本発明の記録装置の第七の実施形態を示したブロック図
【図８】本発明の記録装置の第八の実施形態を示したブロック図
【図９】本発明の記録装置の第九の実施形態を示したブロック図
【図１０】本発明の記録装置の第十の実施形態を示したブロック図
【図１１】本発明の記録装置の第十一の実施形態を示したブロック図
【図１２】本発明の記録装置の第十二の実施形態を示したブロック図
【符号の説明】
１０１，２０１，３０１，４０１，５０１，６０１，７０１，８０１，９０１，１００１，１１０１，１２０１  ビデオ信号符号化器
１０２，２０２，３０２，４０２，５０２，６０２，７０２，８０２，９０２，１００２，１１０２，１２０２  オーディオ信号符号化器
１０３，２０３，５０３，６０３，７０３，１１０３  オーディオモード検出器
１０４，２０４，３０４，４０４，５０４，６０４，７０４，８０４，９０４，１００４，１１０４，１２０４  記録処理器
１０５，２０５，３０５，４０５，５０５，６０５，７０５，８０５，９０５，１００５，１００６，１１０５，１２０５  記録ヘッド
１０６，２０６，３０６，４０６，５０６，６０６，７０６，８０６，９０６，１００６，１１０６，１２０６  記録媒体
３０３，４０３，８０３，９０３  信号変化検出器
５０７，５１０，６０９，６１２，７０９，７１２，８０７，８１０，９０９，９１２，１００９，１０１２  選択器
５０８，６１０，７１０，８０８，９１０，１０１０  フレーム内符号化器
５０９，６１１，７１１，８０９，９１１，１０１１  フレーム間符号化器
６０７，６０８，７０７，７０８，９０７，９０８，１００７，１００８，１１０７，１１０８，１２０７，１２０８  パック化器
１００３，１２０３  レベル変化点検出器
【図１】
0004284717.tif 000002
【図２】
0004284717.tif 000003
【図３】
0004284717.tif 000004
【図４】
0004284717.tif 000005
【図５】
0004284717.tif 000006
【図６】
0004284717.tif 000007
【図７】
0004284717.tif 000008
【図８】
0004284717.tif 000009
【図９】
0004284717.tif 000010
【図１０】
0004284717.tif 000011
【図１１】
0004284717.tif 000012
【図１２】
0004284717.tif 000013